(57)【要約】【課題】  従来の利点をそのまま有し、且つストーブ本体の熱変形を最小限の構造変更により抑制することができるストーブを提供する。【解決手段】  横長円筒状の鉄板製のストーブ本体２の一側に燃料を投入する投入口４を開閉する開閉扉５が設けられたストーブ１において、横長円筒状のストーブ本体２の外側側面に補強用のアングル材２０を横長手方向に沿って固着したので、従来の構造をそのまま維持し、単に、横長円筒状のストーブ本体２の外側側面に補強用のアングル材２０を横長手方向に沿って固着するだけで、長期間に亘って熱による変形を起こすことがなく、これによって燃焼効率を高いまま維持することができ、開閉扉５の開閉動作をスムーズに行うことができる。【選択図】    図４
2005214455.tif 000002
【特許請求の範囲】
【請求項１】
横長円筒状の鉄板製のストーブ本体の一側に燃料を投入する投入口を開閉する開閉扉が設けられたストーブにおいて、
前記横長円筒状のストーブ本体の外側側面に補強用のアングル材を横長手方向に沿って固着したことを特徴とするストーブ。
【請求項２】
前記ストーブ本体の上面には、湯沸し器を載置するための湯沸し台を固着し、該湯沸し台に前記湯沸し器の底面を臨ませる円形開口を形成すると共に、前記湯沸し台と前記ストーブ本体の上面外側との間の隙間に前記円形開口に沿った円形側壁を設けたことを特徴とする請求項１記載のストーブ。
【発明の詳細な説明】
【技術分野】
【０００１】
本発明は、横長円筒状の鉄板製のストーブ本体の一側に燃料を投入する投入口を開閉する開閉扉が設けられたストーブに関するものである。
【背景技術】
【０００２】
従来、薪、木屑等の燃料を投入して燃焼させるストーブとして、本出願人は、意匠登録第７４３２１５号の意匠に係るストーブを提案した。このストーブは、投入口が大きく、長尺の燃材料が投入できるという利点があると共に、横長円筒状の横型のため、保温性の優れたストーブとして人気を博していたものであった。
【特許文献１】意匠登録第７４３２１５号公報
【発明の開示】
【発明が解決しようとする課題】
【０００３】
しかし、上記のストーブは、ストーブ本体が厚さ２〜３ｍｍの鉄板を円筒加工して形成したものであるため、長期間の使用によってストーブ本体が熱によって変形し、それによって燃焼効率が悪くなったり、開閉扉の開閉をスムーズに行うことができないという問題があった。本発明は、上記した事情に鑑みなされたものであり、その目的とするところは、従来の利点をそのまま有し、且つストーブ本体の熱変形を最小限の構造変更により抑制することができるストーブを提供することにある。
【課題を解決するための手段】
【０００４】
上記した目的を達成するために、請求項１に係る発明について図を参照しながら説明すると、図１乃至図４に示すように、横長円筒状の鉄板製のストーブ本体２の一側に燃料を投入する投入口４を開閉する開閉扉５が設けられたストーブ１において、前記横長円筒状のストーブ本体２の外側側面に補強用のアングル材２０を横長手方向に沿って固着したことを特徴とするとするものである。この場合、補強用のアングル材２０は、ストーブ本体２の直径や横長手方向の寸法が比較的小さい場合に上方斜め左右だけに固着し、あるいは、それらの寸法が比較的大きな場合に上方斜め左右に加えて下方斜め左右に固着しても良い。
【０００５】
また、請求項２に係る発明について図を参照しながら説明すると、図１乃至図４に示すように、前記ストーブ本体２の上面には、湯沸し器（図示しない）を載置するための湯沸し台１２を固着し、該湯沸し台１２に前記湯沸し器の底面を臨ませる円形開口１４を形成すると共に、前記湯沸し台１２と前記ストーブ本体２の上面外側との間の隙間に前記円形開口１４に沿った円形側壁１５を設けたことを特徴とするものである。
【発明の効果】
【０００６】
請求項１に係る発明においては、従来の構造をそのまま維持し、単に、横長円筒状のストーブ本体２の外側側面に補強用のアングル材２０を横長手方向に沿って固着するだけで、長期間に亘って熱による変形を起こすことがなく、これによって燃焼効率を高いまま維持することができ、開閉扉５の開閉動作をスムーズに行うことができた。つまり、極めて簡単な構造を付加するだけで、当初の目的を達成することができ、コストの上昇を抑制することができた。
【０００７】
また、請求項２に係る発明においては、本ストーブに湯沸し器（例えば、やかん等の容器）を載置する湯沸し台１２を固着した場合に、湯沸し台１２に形成される円形開口１４へのストーブ本体２から発せられる熱の集中度を円形開口１４に沿った円形側壁１５によって高めることができ、湯沸し機能の効率を高めることができる。
【発明を実施するための最良の形態】
【０００８】
以下、本発明の実施の形態について説明する。図１は、本実施形態に係るストーブ１の側面図であり、図２は、ストーブ１の平面図であり、図３は、図１のＡ−Ａ線で切断した断面図であり、図４は、ストーブ１の斜視図である。
【０００９】
図において、ストーブ１は、横長円筒形状の鉄板（厚さ２．３ｍｍ）製のストーブ本体２の下部前後には、Ｗ形状の脚部３が固着（溶接）されており、また、ストーブ本体２の一側に、薪、木屑等の燃料を投入する投入口４が形成されている。この投入口４は、ストーブ本体２の一側に受け傾斜状に形成されており、その受け傾斜状の投入口４を左右一対の開閉扉５（鉄板の厚みは４．５ｍｍ）で開閉自在に閉塞するようになっている。開閉扉５は、その上端をストーブ本体２に固着（溶接）される扉支持板７に対して着脱自在なリベット８によって脱着可能に回動自在に軸支され、その下端部が投入口４の下端辺に投入口４の傾斜に沿った傾斜面を有するように形成される当接部９に当接するようになっている。当接部９と開閉扉５とは、開閉扉５の先端に取り付けられる取っ手６を手で開いて所望の開閉角度で当接保持でき、火力の強弱を調整することができるようになっている。更に、投入口４の下方は、傾斜板１０（厚さ２．３ｍｍの鉄板で前記当接部９が一体的に形成されている。）となっており、初期の燃料に対する着火時における操作性、及び灰等のかき出し操作性を向上させる構造となっている。また、上記のように構成されるストーブ本体２（次に説明する煙突１１、湯沸し台１２を含む）や開閉扉５は、アルマ加工（アルミ溶融メッキ）が施されたり、あるいは耐熱塗料が塗布されている。
【００１０】
また、ストーブ本体２の他側面は、閉塞されている（閉塞板の鉄板の厚みは２．３ｍｍ）と共に、その上面の他側（閉塞面側）に煙突１１（煙突の差し込みパイプ）が固着され、また、上面ほぼ中央に湯沸し台１２が固着されている。湯沸し台１２は、１枚の方形状の鉄板の対向する辺を山折したコ字状材に形成され、そのコ字状の対向辺をストーブ本体２の上面に固着（溶接）することにより、ストーブ本体２に設けられる。また、湯沸し台１２には、やかん等の湯沸し器の底面を臨ませるために、円形開口１４が形成され、その円形開口１４を蓋１３によって閉塞できるようになっている。また、湯沸し台１２をストーブ本体２に固着した際には、湯沸し台１２の平面部とストーブ本体２の上面との間に、隙間が生ずるようになっているが、その隙間に円形開口１４に沿った円形側壁１５が設けられている。この円形側壁１５は、湯沸し台１２の円形開口１４の内側に沿って溶接されている。
【００１１】
更に、ストーブ本体２の外側側面の上部斜め左右及び下部斜め左右には、横長手方向に沿って補強用のアングル材２０が固着（溶接）されている。このアングル材２０は、良く知られているように断面Ｌ字状であり、その両端辺をストーブ本体２の円弧状外周面に当接させた状態で溶接することにより、ストーブ本体２に固着されるものである。なお、図示の場合には、アングル材２０をストーブ本体２の上部斜め左右及び下部斜め左右に固着したものを示したが、ストーブ本体２の直径や横長寸法があまり大きくない場合（例えば、直径が４００ｍｍｍ以下で横長寸法が１０００ｍｍ以下）には、上部斜め左右だけに固着したものでも良い。これは、本実施形態に係るストーブ１の構造上、ストーブ本体２の上方が最も温度が高くなり変形するおそれがあるからである。
【００１２】
以上、実施形態に係るストーブ１の構造について説明してきたが、本実施形態によれば、横長円筒状の鉄板製のストーブ本体２の一側に燃料を投入する投入口４を開閉する開閉扉５が設けられたストーブ１において、横長円筒状のストーブ本体２の外側側面に補強用のアングル材２０を横長手方向に沿って固着したので、従来の構造をそのまま維持し、単に、横長円筒状のストーブ本体２の外側側面に補強用のアングル材２０を横長手方向に沿って固着するだけで、長期間に亘って熱による変形を起こすことがなく、これによって燃焼効率を高いまま維持することができ、開閉扉５の開閉動作をスムーズに行うことができる。
【００１３】
また、本実施形態においては、ストーブ本体２の上面には、湯沸し器（図示しない）を載置するための湯沸し台１２を固着し、該湯沸し台１２に湯沸し器の底面を臨ませる円形開口１４を形成すると共に、前記湯沸し台１２と前記ストーブ本体２の上面外側との間の隙間に前記円形開口１４に沿った円形側壁１５を設けたので、本ストーブに湯沸し器（例えば、やかん等の容器）を載置する湯沸し台１２を固着した場合に、湯沸し台１２に形成される円形開口１４へのストーブ本体２から発せられる熱の集中度を円形開口１４に沿った円形側壁１５によって高めることができ、湯沸し機能の効率を高めることができる。
【００１４】
なお、上記した実施形態では、湯沸し台１２に円形開口１４が形成されるものを示したが、湯沸し台１２に円形開口１４を形成することなく、単に平板状の湯沸し台としてもよい。この場合には、当然のことながら、円形側壁１５も固着しなくても良い。
【図面の簡単な説明】
【００１５】
【図１】本実施形態に係るストーブの側面図である。
【図２】ストーブの平面図である。
【図３】図１のＡ−Ａ線で切断した断面図である。
【図４】ストーブの斜視図である。
【符号の説明】
【００１６】
１  ストーブ
２  ストーブ本体
４  投入口
５  開閉扉
１２  湯沸し台
１４  円形開口
１５  円形側壁
２０  アングル材
【図１】
2005214455.tif 000003
【図２】
2005214455.tif 000004
【図３】
2005214455.tif 000005
【図４】
2005214455.tif 000006